(57)【要約】      （修正有）【課題】構造が簡単且つ使用が便利で、素早く傘を開くことができる傘の開傘固定構造を提供する。【解決手段】中棒４１と、中棒を上下にスライド移動する下ろくろ１０と、下ろくろの制御を受けて親骨を支えて傘布を開かせることができる受骨４２と、中棒の下端に設けられた手元とからなる。中棒における下ろくろを上に移動させて傘布を開いて固定する位置には、カバーリング３４が設けられ、下ろくろ内部収容室には、カバーリングと嵌合できる内環状溝１７が設けられ、下ろくろ内部収容室におけるカバーリングと接触する端口は錐形開口１５２を形成する。前記カバーリングは、圧縮変形可能な軟性材質からなる。【選択図】図３
0003180679.tif 000002
【実用新案登録請求の範囲】
【請求項１】
中棒と、中棒を上下にスライド移動する下ろくろと、下ろくろの制御を受けて親骨を支えて傘布を開かせることができる受骨と、中棒の下端に設けられた手元とからなる傘の開傘固定構造であって、
中棒における下ろくろを上に移動させて傘布を開いて固定する位置には、カバーリングが設けられ、下ろくろ内部収容室には、カバーリングと嵌合できる内環状溝が設けられ、下ろくろ内部収容室におけるカバーリングと接触する端口は錐形開口を形成することを特徴とする、傘の開傘固定構造。
【請求項２】
前記カバーリングは、圧縮変形可能な軟性材質からなることを特徴とする、請求項１に記載の傘の開傘固定構造。
【請求項３】
前記内環状溝は、大きな内部収容室の形状であることを特徴とする、請求項１に記載の傘の開傘固定構造。
【考案の詳細な説明】
【技術分野】
【０００１】
本考案は構造が簡単且つ使用が便利で、素早く傘を開くことができる傘の開傘固定構造に関する。
【背景技術】
【０００２】
傘は、雨を避ける以外に、太陽から保護する機能がある。図１を参照する。従来の傘の基本原理は、中棒４１において下ろくろ１０の支持リング１４が受骨４２を制御して親骨４３を支持し、親骨４３によって傘布４４が開かれて傘を使用することができる。また、下ろくろ１０の位置を固定するため、下ろくろ１０の下方には切溝が設けられ、さらに、中棒４１における下ろくろ１０が下に移動して傘を閉じる際の所定の位置と、上に移動して傘を開く際の所定の位置には、それぞれハジキ１１、１２が設けられる。また、傘を素早く開くことができるように、手元４５の上方にはボタン１３が設けられ、それによりハジキ１２が内側に縮むのを制御することができる。傘を開きたい時は、ボタン１３を押すと、ハジキ１２が下ろくろ１０の切溝から外れ、下ろくろ１０が上に移動して傘布４４を開く。傘を閉じたい時は、上のハジキ１１を押せば、下ろくろ１０が切溝から外れ、傘を閉じることができる。
【０００３】
また、手でボタン１３或いは上のハジキ１１を押すことで開傘と閉傘の動作を制御するこの種の方式は、簡単で便利ではあるものの、中棒１４が長すぎるため、下ろくろ１０が受骨４２、親骨４３を介して傘布４４を開く時、下ろくろ１０とハジキ１１の固定がうまくいかないことがよくあり、しかもそれは金属製品であるため、サビが出て中にひっかかってしまいやすくなり、操作が困難になる。特に、ハジキ１１内にはバネが設けられ、一旦バネがサビつくと操作がしにくくなる。
【考案の概要】
【考案が解決しようとする課題】
【０００４】
そこで、本考案は、構造が簡単且つ使用が便利で、素早く傘を開くことができる傘の開傘固定構造を提供することを目的とする。
【課題を解決するための手段】
【０００５】
本考案による傘の開傘固定構造は、中棒と、中棒を上下にスライド移動する下ろくろと、下ろくろの制御を受けて親骨を支えて傘布を開かせることができる受骨と、中棒の下端に設けられた手元とからなる。中棒における下ろくろを上に移動させて傘布を開いて固定する位置には、カバーリングが設けられ、下ろくろ内部収容室には、カバーリングと嵌合できる内環状溝が設けられ、下ろくろ内部収容室におけるカバーリングと接触する端口は錐形開口を形成する。前記カバーリングは、圧縮変形可能な軟性材質からなる。
【考案の効果】
【０００６】
本考案による傘の開傘固定構造は、操作がしやすいという特徴を備えている。中棒上端の錐形開口と内環状溝をカバーリングに嵌合させることができる設計により、下ろくろを上にスライドさせ少し力を入れるだけで、錐形開口によってカバーリングをスムーズに下ろくろ内部収容室に進入させることができ、内環状溝とカバーリングが嵌合される。以上により、傘の開閉を小さい力で手軽に行うことができる。
【図面の簡単な説明】
【０００７】
【図１】従来の傘の構造を示した概略図である。
【図２】本考案の実施例を示した概略図である。
【図３】本考案の下ろくろとカバーリングの動作を示した説明図である。
【図４】本考案の下ろくろの大きな内部収容室の実施例を示した説明図である。
【考案を実施するための形態】
【０００８】
図２を参照する。本考案による傘の開傘固定構造は、中棒４１と、中棒４１を上下にスライド移動する下ろくろ１０と、下ろくろ１０の制御を受け親骨４３を支えて傘布４４を開かせることができる受骨４２と、中棒４１の下端に設けられた手元４５とからなる。傘を開く時は、下ろくろ１０を上に移動させれば傘面４４が開く。
【０００９】
その内、本考案による傘の開傘固定構造の特徴については、図３Ａに示す図２の下ろくろと中棒の拡大図を参照する。図から分かるように、中棒４１における下ろくろ１０を上に移動させた際に傘布４４を開いて固定する位置には、カバーリング３４が設けられ、下ろくろ１０の内部収容室１５には、カバーリング３４と嵌合できる内環状溝１７が設けられ、下ろくろ１０の内部収容室１５には、カバーリング３４に接触する錐形開口１５２が設けられる。傘を開きたい場合は、中棒４１上で下ろくろ１０を上方向へ頂端まで移動させ、中棒４１頂端のカバーリング３４位置まで移動した時に、下ろくろ１０上端の内部収容室の錐形開口１５２が、カバーリング３４を、内側に縮む形状の斜錐に沿って、内環状溝１７内に入れ込む。カバーリング３４が内環状溝１７に入り込むと、下ろくろ１０が傘が開いた位置で固定される。
【００１０】
その内、カバーリング３４を嵌合させるための前記内環状溝１７は、直接、大きな内部収容室１５Ａにすることもできる。そうすることにより、図４に示すように、カバーリング３４を大きな内部収容室１５Ａに進入させるだけで、下ろくろ１０はカバーリング３４に係止されて位置を固定することができる。
【００１１】
また、カバーリング３４は、圧縮変形可能な軟性材質（例えば、ゴム）からなる。
【符号の説明】
【００１２】
１０            下ろくろ                  
１１、１２      ハジキ        
１３            ボタン
１４            支持リング  
１５            内部収容室                
１７            内環状溝
３４            カバーリング              
４１            中棒                  
４２            受骨          
４３            親骨                  
４４            傘布                  
４５            手元
１５２          錐形開口        
１５Ａ          大きな内部収容室
【図１】
0003180679.tif 000003
【図２】
0003180679.tif 000004
【図３】
0003180679.tif 000005
【図４】
0003180679.tif 000006